(57)【特許請求の範囲】
【請求項１】
紙葉類を所定の搬送方向に沿って搬送しながら当該紙葉類の幅方向における一部分を前記搬送方向を中心として略９０°変位させる上流側反転部と、
紙葉類の前記搬送方向における前記上流側反転部の下流側に設けられ、当該上流側反転部から送られた紙葉類を前記搬送方向に沿って搬送しながら前記上流側反転部で略９０°変位させられた当該紙葉類の幅方向における一部分を受け取って前記搬送方向を中心として略９０°変位させることにより紙葉類全体の表裏を反転させることができる下流側反転部と、
を備え、
前記上流側反転部は、略９０°変位させられた紙葉類の幅方向における一部分を案内する互いに離間して設けられた一対の垂直ガイド部分を含み、各前記垂直ガイド部分の間の距離は前記搬送方向において下流側が上流側よりも徐々に小さくなるよう各前記垂直ガイド部分が構成されている、表裏反転装置。
【請求項２】
前記上流側反転部は、位置固定で設けられ、前記搬送方向に沿って搬送される紙葉類の幅方向における一部分を当該搬送方向を中心として略９０°変位させるよう紙葉類を案内する上流側固定ガイド部分を含む、請求項１記載の表裏反転装置。
【請求項３】
前記上流側反転部は、紙葉類の幅方向における一部分を変位させる方向を、前記下流側反転部による紙葉類の変位方向と同方向または逆方向に選択的に切り換えることができるようになっている、請求項１記載の表裏反転装置。
【請求項４】
前記上流側反転部は、搬送路の幅方向において分割され、各々が軸を中心として揺動する複数の分岐爪を含み、各前記分岐爪は他の前記分岐爪から独立して揺動することができるようになっており、
各前記分岐爪の位置に基づいて、紙葉類の幅方向における一部分を変位させる方向が、前記下流側反転部による紙葉類の変位方向と同方向または逆方向に選択的に切り換えられるようになっている、請求項３記載の表裏反転装置。
【請求項５】
前記上流側反転部は、略９０°変位させられた紙葉類の幅方向における一部分以外の部分を前記下流側反転部に向かって前記搬送方向に沿って搬送する上流側搬送部分を含む、請求項１乃至４のいずれか一項に記載の表裏反転装置。
【請求項６】
前記上流側反転部は、紙葉類を前記搬送方向に沿って搬送しながら当該紙葉類の幅方向における中央部分を前記搬送方向を中心として略９０°変位させるようになっている、請求項１乃至５のいずれか一項に記載の表裏反転装置。
【請求項７】
前記上流側反転部は、紙葉類の幅方向における一部分が前記搬送方向を中心として略９０°変位させられた後に当該紙葉類の幅方向における前記一部分よりも右側領域および左側領域のうち一方の領域のみを第１ローラにより搬送し、その後、この紙葉類における略９０°変位させられた箇所を第２ローラにより搬送するような構成となっている、請求項１乃至６のいずれか一項に記載の表裏反転装置。
【請求項８】
前記上流側反転部は、幅方向における一部分が前記搬送方向を中心として略９０°変位させられた後の紙葉類を案内する一対のガイド部を有しており、前記一対のガイド部は互いに離間するとともに前記一対のガイド部の間で紙葉類が案内されるようになっており、
前記一対のガイド部のうち一方のガイド部の表面には、幅方向における一部分が前記搬送方向を中心として略９０°変位させられた後の紙葉類における前記一部分よりも右側領域および左側領域のうち一方の領域を湾曲させる隆起部分が設けられている、請求項１乃至７のいずれか一項に記載の表裏反転装置。
【請求項９】
前記一対のガイド部のうち他方のガイド部の表面には、紙葉類の幅方向における前記搬送方向を中心として略９０°変位させられる一部分を一方のガイド部に向かって折り曲げる折り曲げ部分が設けられている、請求項８記載の表裏反転装置。
【請求項１０】
前記下流側反転部は、位置固定で設けられ、前記上流側反転部で略９０°変位させられた当該紙葉類の幅方向における一部分を受け取って前記搬送方向を中心として略９０°変位させるよう紙葉類を案内する下流側固定ガイド部分を含む、請求項１乃至９のいずれか一項に記載の表裏反転装置。
【請求項１１】
前記下流側反転部は、前記上流側反転部で略９０°変位させられた当該紙葉類の幅方向における一部分を受け取って前記搬送方向を中心として略９０°変位させるよう紙葉類を搬送する下流側搬送部分を含み、
前記下流側搬送部分は、搬送ベルトおよび搬送ローラのうち少なくとも１つのものから構成されている、請求項１乃至１０のいずれか一項に記載の表裏反転装置。
【請求項１２】
前記下流側反転部は、位置固定で設けられ、前記下流側搬送部分により搬送される紙葉類の前記搬送方向における先端部分を搬送路の幅方向外側へ案内する紙葉類先端ガイド部分を更に含む、請求項１１記載の表裏反転装置。
【請求項１３】
前記下流側反転部は、位置固定で設けられ、前記下流側搬送部分により搬送される紙葉類の幅方向における端部分を高さ方向において制限するよう紙葉類を案内する紙葉類高さ制限ガイド部分を更に含む、請求項１１または１２記載の表裏反転装置。
【請求項１４】
紙葉類を搬送する搬送部と、
前記搬送部に設けられ、当該搬送部により搬送される紙葉類の表裏を反転させる、請求項１乃至１３のいずれか一項に記載の表裏反転装置と、
を備えた、紙葉類処理機。
【請求項１５】
紙葉類を所定の搬送方向に沿って搬送しながら当該紙葉類の幅方向における一部分を前記搬送方向を中心として略９０°変位させる第１反転工程と、
前記第１反転工程により幅方向における一部分が略９０°変位させられた紙葉類の前記一部分を、互いに離間して設けられた一対の垂直ガイド部分であって、各前記垂直ガイド部分の間の距離が前記搬送方向において下流側が上流側よりも徐々に小さくなる前記垂直ガイド部分によって案内する案内工程と、
前記案内工程により案内された、前記第１反転工程により幅方向における一部分が略９０°変位させられた紙葉類を、前記搬送方向に沿って搬送しながら略９０°変位させられた当該紙葉類の幅方向における一部分を受け取って前記搬送方向を中心として略９０°変位させることにより紙葉類全体の表裏を反転させる第２反転工程と、
を備えた、表裏反転方法。
【発明の詳細な説明】
【技術分野】
【０００１】
本発明は、紙葉類の表裏を反転させる表裏反転装置、このような表裏反転装置を備えた紙葉類処理機、および紙葉類の表裏を反転させる表裏反転方法に関する。
【背景技術】
【０００２】
紙幣の入金処理や出金処理等の様々な処理を行う紙幣処理機として従来から様々なタイプのものが知られている。一般的な紙幣処理機では、紙幣投入口により筐体の外部から内部に投入された紙幣は筐体の内部で１枚ずつ搬送され、識別部により識別された後、例えば金種毎に複数の集積部に分類され、各集積部において紙幣が積層状態で集積されるようになっている。また、各集積部に積層状態で集積される紙幣の表裏を揃えるため、紙幣の表裏を反転させる表裏反転装置が搬送部に設けられる場合がある。このような表裏反転装置として、例えば日本国特許出願に係る特公平３−５８９８４号公報および特開２００４−２６９１６０号公報、ならびに米国特許第６３７１３０３号等に開示されるものが従来から知られている。
【発明の概要】
【０００３】
日本国特許出願に係る特公平３−５８９８４号公報および特開２００４−２６９１６０号公報、ならびに米国特許第６３７１３０３号等に開示される従来の表裏反転装置では、搬送部から送られた紙幣を所定の搬送方向に沿って搬送しながら当該搬送方向を中心として紙幣全体を一度に１８０°回転させることにより紙幣の表裏を反転させていた。しかしながら、このような従来の表裏反転装置では紙幣全体が搬送方向を中心として一度に１８０°回転するため、紙幣の幅方向の長さ分だけ表裏反転装置の内部スペースの高さを確保しなければならず、紙幣処理機における表裏反転装置の設置スペースに制約が生じてしまうという問題があった。また、紙幣全体を一度に１８０°回転させる場合には紙幣を回転させる機構の構造が複雑となるため、紙幣を回転させる途中で詰まり等のトラブルが生じた場合には、このような紙幣の詰まりを解除するのに手間がかかりメンテナンス性が悪いという問題があった。
【０００４】
本発明は、このような点を考慮してなされたものであり、紙葉類の表裏を反転させるにあたり、紙葉類全体を一度に１８０°回転させる場合と比較して紙葉類が変位する領域の高さを抑えることができ、また、紙葉類の表裏を反転させる途中で詰まり等のトラブルが生じた場合にもこのような紙葉類の詰まりを容易に解除することができる表裏反転装置、紙葉類処理機および表裏反転方法を提供することを目的とする。
【０００５】
本発明の表裏反転装置は、紙葉類を所定の搬送方向に沿って搬送しながら当該紙葉類の幅方向における一部分を前記搬送方向を中心として略９０°変位させる上流側反転部と、紙葉類の前記搬送方向における前記上流側反転部の下流側に設けられ、当該上流側反転部から送られた紙葉類を前記搬送方向に沿って搬送しながら前記上流側反転部で略９０°変位させられた当該紙葉類の幅方向における一部分を受け取って前記搬送方向を中心として略９０°変位させることにより紙葉類全体の表裏を反転させることができる下流側反転部と、を備え、前記上流側反転部は、略９０°変位させられた紙葉類の幅方向における一部分を案内する互いに離間して設けられた一対の垂直ガイド部分を含み、各前記垂直ガイド部分の間の距離は前記搬送方向において下流側が上流側よりも徐々に小さくなるよう各前記垂直ガイド部分が構成されていることを特徴とする。
【０００６】
本発明の表裏反転装置においては、前記上流側反転部は、位置固定で設けられ、前記搬送方向に沿って搬送される紙葉類の幅方向における一部分を当該搬送方向を中心として略９０°変位させるよう紙葉類を案内する上流側固定ガイド部分を含んでいてもよい。
【０００７】
あるいは、前記上流側反転部は、紙葉類の幅方向における一部分を変位させる方向を、前記下流側反転部による紙葉類の変位方向と同方向または逆方向に選択的に切り換えることができるようになっていてもよい。
【０００８】
この場合、前記上流側反転部は、搬送路の幅方向において分割され、各々が軸を中心として揺動する複数の分岐爪を含み、各前記分岐爪は他の前記分岐爪から独立して揺動することができるようになっており、各前記分岐爪の位置に基づいて、紙葉類の幅方向における一部分を変位させる方向が、前記下流側反転部による紙葉類の変位方向と同方向または逆方向に選択的に切り換えられるようになっていてもよい。
【００１０】
本発明の表裏反転装置においては、前記上流側反転部は、略９０°変位させられた紙葉類の幅方向における一部分以外の部分を前記下流側反転部に向かって前記搬送方向に沿って搬送する上流側搬送部分を含んでいてもよい。
【００１１】
本発明の表裏反転装置においては、前記上流側反転部は、紙葉類を前記搬送方向に沿って搬送しながら当該紙葉類の幅方向における中央部分を前記搬送方向を中心として略９０°変位させるようになっていてもよい。
【００１２】
本発明の表裏反転装置においては、前記上流側反転部は、紙葉類の幅方向における一部分が前記搬送方向を中心として略９０°変位させられた後に当該紙葉類の幅方向における前記一部分よりも右側領域および左側領域のうち一方の領域のみを第１ローラにより搬送し、その後、この紙葉類における略９０°変位させられた箇所を第２ローラにより搬送するような構成となっていてもよい。
【００１３】
本発明の表裏反転装置においては、前記上流側反転部は、幅方向における一部分が前記搬送方向を中心として略９０°変位させられた後の紙葉類を案内する一対のガイド部を有しており、前記一対のガイド部は互いに離間するとともに前記一対のガイド部の間で紙葉類が案内されるようになっており、前記一対のガイド部のうち一方のガイド部の表面には、幅方向における一部分が前記搬送方向を中心として略９０°変位させられた後の紙葉類における前記一部分よりも右側領域および左側領域のうち一方の領域を湾曲させる隆起部分が設けられていてもよい。
【００１４】
この場合、前記一対のガイド部のうち他方のガイド部の表面には、紙葉類の幅方向における前記搬送方向を中心として略９０°変位させられる一部分を一方のガイド部に向かって折り曲げる折り曲げ部分が設けられていてもよい。
【００１５】
本発明の表裏反転装置においては、前記下流側反転部は、位置固定で設けられ、前記上流側反転部で略９０°変位させられた当該紙葉類の幅方向における一部分を受け取って前記搬送方向を中心として略９０°変位させるよう紙葉類を案内する下流側固定ガイド部分を含んでいてもよい。
【００１６】
あるいは、前記下流側反転部は、前記上流側反転部で略９０°変位させられた当該紙葉類の幅方向における一部分を受け取って前記搬送方向を中心として略９０°変位させるよう紙葉類を搬送する下流側搬送部分を含み、前記下流側搬送部分は、搬送ベルトおよび搬送ローラのうち少なくとも１つのものから構成されていてもよい。
【００１７】
この場合、前記下流側反転部は、位置固定で設けられ、前記下流側搬送部分により搬送される紙葉類の前記搬送方向における先端部分を搬送路の幅方向外側へ案内する紙葉類先端ガイド部分を更に含んでいてもよい。
【００１８】
また、前記下流側反転部は、位置固定で設けられ、前記下流側搬送部分により搬送される紙葉類の幅方向における端部分を高さ方向において制限するよう紙葉類を案内する紙葉類高さ制限ガイド部分を更に含んでいてもよい。
【００１９】
本発明の紙葉類処理機は、紙葉類を搬送する搬送部と、前記搬送部に設けられ、当該搬送部により搬送される紙葉類の表裏を反転させる、上記の表裏反転装置と、を備えたことを特徴とする。
【００２０】
本発明の表裏反転方法は、紙葉類を所定の搬送方向に沿って搬送しながら当該紙葉類の幅方向における一部分を前記搬送方向を中心として略９０°変位させる第１反転工程と、前記第１反転工程により幅方向における一部分が略９０°変位させられた紙葉類の前記一部分を、互いに離間して設けられた一対の垂直ガイド部分であって、各前記垂直ガイド部分の間の距離が前記搬送方向において下流側が上流側よりも徐々に小さくなる前記垂直ガイド部分によって案内する案内工程と、前記案内工程により案内された、前記第１反転工程により幅方向における一部分が略９０°変位させられた紙葉類を、前記搬送方向に沿って搬送しながら略９０°変位させられた当該紙葉類の幅方向における一部分を受け取って前記搬送方向を中心として略９０°変位させることにより紙葉類全体の表裏を反転させる第２反転工程と、を備えたことを特徴とする。
【図面の簡単な説明】
【００２１】
【図１】本発明の実施の形態による紙幣処理機の外観を示す斜視図である。
【図２】図１に示す紙幣処理機の内部構成を概略的に示す概略構成図である。
【図３】図１等に示す紙幣処理機の機体内に設けられた表裏反転装置の構成を示す斜視図である。
【図４】図３に示す表裏反転装置の上面図である。
【図５】図３および図４に示す表裏反転装置における上流側反転部の構成を示す斜視図である。
【図６】図３および図４に示す表裏反転装置における下流側反転部の構成を示す斜視図である。
【図７】図５に示す上流側反転部において第１分岐爪が上方位置に位置するとともに第２分岐爪が下方位置に位置しているときの状態を示す斜視図である。
【図８】図７に示す上流側反転部を紙幣の搬送方向に沿って上流側から下流側に向かって見たときの構成を示す正面図である。
【図９】図５に示す上流側反転部において第１分岐爪が下方位置に位置するとともに第２分岐爪が上方位置に位置しているときの状態を示す斜視図である。
【図１０】図９に示す上流側反転部を紙幣の搬送方向に沿って上流側から下流側に向かって見たときの構成を示す正面図である。
【図１１】図５に示す上流側反転部における左右一対のガイド部材およびこれらのガイド部材に設けられた垂直ガイド部分の構成を示す上面図である。
【図１２】図６に示す下流側反転部における紙幣先端ガイド部材の構成を示す斜視図である。
【図１３】図１２に示す紙幣先端ガイド部材の上面図である。
【図１４】図６に示す下流側反転部における一対の循環ベルトの構成を示す斜視図である。
【図１５】図１４に示す一対の循環ベルトの上面図である。
【図１６】図３等に示す表裏反転装置により紙幣の表裏を反転させるときの紙幣の流れを示す斜視図である。
【図１７】図３等に示す表裏反転装置により紙幣の表裏を反転させないときの紙幣の流れを示す斜視図である。
【図１８】変形例に係る表裏反転装置の下流側反転部に設けられた複数の搬送ローラの構成を示す斜視図である。
【図１９】図１８に示す複数の搬送ローラの上面図である。
【図２０】別の変形例に係る表裏反転装置の構成を示す斜視図である。
【図２１】図２０に示す表裏反転装置の上面図である。
【図２２】図２０等に示す表裏反転装置における、下側ガイド部材に設けられた隆起部分の構成を示す斜視図である。
【図２３】図２０等に示す表裏反転装置における、上側ガイド部材の下面に設けられた折り曲げリブの構成を示す斜視断面図である。
【図２４】図２０等に示す表裏反転装置において折り曲げリブにより紙幣が折り曲げられたときの状態を示す正面図である。
【図２５】図２０等に示す表裏反転装置において隆起部分により紙幣にコシが付けられたときの状態を示す縦断面図である。
【図２６】図２０等に示す表裏反転装置において折り曲げリブが設けられていない場合の紙幣の状態を示す正面図である。
【図２７】図２０等に示す表裏反転装置において折り曲げリブが設けられていない場合に隆起部分により紙幣にコシが付けられたときの状態を示す縦断面図である。
【図２８】（ａ）〜（ｄ）は、図２０等に示す表裏反転装置により処理される紙幣の様々な状態を示す説明図である。
【発明を実施するための形態】
【００２２】
以下、図面を参照して本発明の実施の形態について説明する。図１乃至図１７は、本実施の形態による紙幣処理機を示す図である。このうち、図１は、本考案の実施の形態による紙幣処理機の外観を示す斜視図であり、図２は、図１に示す紙幣処理機の内部構成を概略的に示す概略構成図である。また、図３および図４は、それぞれ、図１等に示す紙幣処理機の機体内に設けられた表裏反転装置の構成を示す斜視図および上面図である。また、図５および図６は、それぞれ、図３および図４に示す表裏反転装置における上流側反転部および下流側反転部の構成を示す斜視図である。また、図７および図８は、それぞれ、図５に示す上流側反転部において第１分岐爪が上方位置に位置するとともに第２分岐爪が下方位置に位置しているときの状態を示す斜視図および正面図である。また、図９および図１０は、それぞれ、図５に示す上流側反転部において第１分岐爪が下方位置に位置するとともに第２分岐爪が上方位置に位置しているときの状態を示す斜視図および正面図である。また、図１１は、図５に示す上流側反転部における左右一対のガイド部材およびこれらのガイド部材に設けられた垂直ガイド部分の構成を示す上面図である。また、図１２および図１３は、それぞれ、図６に示す下流側反転部における紙幣先端ガイド部材の構成を示す斜視図および上面図であり、図１４および図１５は、それぞれ、図６に示す下流側反転部における一対の循環ベルトの構成を示す斜視図および上面図である。また、図１６は、図３等に示す表裏反転装置により紙幣の表裏を反転させるときの紙幣の流れを示す斜視図であり、図１７は、図３等に示す表裏反転装置により紙幣の表裏を反転させないときの紙幣の流れを示す斜視図である。なお、図３乃至図１７において、表裏反転装置における紙幣の搬送方向を白抜きの矢印で示している。
【００２３】
図１および図２に示すように、本実施の形態による紙幣処理機１０は、略直方体形状の筐体１１と、紙幣を筐体１１の内部に取り込むための取込部１２と、取込部１２により筐体１１の内部に取り込まれた紙幣を当該筐体１１の内部で搬送するための搬送部１６と、搬送部１６により搬送される紙幣の金種、真偽、正損、表裏、搬送状態等の識別を行う識別部１８とを備えている。また、本実施の形態による紙幣処理機１０は、識別部１８により識別が行われた紙幣の表裏を選択的に反転させるための表裏反転装置４０と、表裏反転装置４０から排出された紙幣が積層状態で例えば金種毎に集積される複数（図１等に示す例では４つ）の集積部２０ａ〜２０ｄとを備えている。このような紙幣処理機１０の各構成部材の詳細について以下に説明する。
【００２４】
本実施の形態による紙幣処理機１０では、紙幣の処理が行われる際に、操作者により複数の紙幣が取込部１２に積層状態で載置されるようになっている。また、図１および図２に示すように、取込部１２にはフィードローラ、キッカローラおよびゲートローラ等からなる繰出機構１４が設けられており、取込部１２に積層状態で載置された紙幣は１枚ずつ繰出機構１４により筐体１１の内部に繰り出されるようになっている。より詳細には、取込部１２に積層状態で載置された複数の紙幣のうち最下層に位置する紙幣がキッカローラにより筐体１１の内部に向かって（すなわち、図２における左下方向に）１枚ずつ蹴り出され、キッカローラにより蹴り出された紙幣がフィードローラにより筐体１１の内部に繰り出されるようになっている。また、フィードローラにより紙幣が筐体１１の内部に繰り出される際に、当該紙幣はフィードローラとゲートローラとの間に形成されるゲート部を通過することにより１枚ずつに分離されるようになっている。
【００２５】
取込部１２により筐体１１の内部に取り込まれた紙幣は搬送部１６により搬送されるようになっている。ここで、紙幣はその短手方向に沿って搬送部１６により搬送されるようになっている。また、図２に示すように、搬送部１６には識別部１８が設けられており、搬送部１６により搬送される紙幣は識別部１８によりその金種、真偽、正損、新旧、表裏、搬送状態等の識別が行われるようになっている。また、搬送部１６には２つのリジェクト部２２ａ、２２ｂが接続されており、識別部１８により正常な紙幣ではないと識別された紙幣や識別部１８により識別することができなかった紙幣はリジェクト紙幣として搬送部１６から各リジェクト部２２ａ、２２ｂに送られ、これらのリジェクト部２２ａ、２２ｂに積層状態で集積されるようになっている。図１に示すように、各リジェクト部２２ａ、２２ｂは筐体１１の外部に露出しており、操作者は各リジェクト部２２ａ、２２ｂに集積されたリジェクト紙幣をこれらのリジェクト部２２ａ、２２ｂから取り出して取込部１２に再投入することができるようになっている。
【００２６】
搬送部１６による紙幣の搬送方向における各リジェクト部２２ａ、２２ｂよりも下流側には表裏反転装置４０が設けられており、識別部１８を通過した紙幣は搬送部１６により表裏反転装置４０に送られてこの表裏反転装置４０よりその表裏が選択的に反転させられるようになっている。このような表裏反転装置４０の構成の詳細については後述する。
【００２７】
筐体１１の内部における下部領域には４つの集積部２０ａ、２０ｂ、２０ｃ、２０ｄが並列に設けられており、表裏反転装置４０から排出された紙幣が各集積部２０ａ、２０ｂ、２０ｃ、２０ｄに例えば金種毎に分類されてこれらの集積部２０ａ、２０ｂ、２０ｃ、２０ｄで積層状態に集積されるようになっている。また、図１に示すように各集積部２０ａ、２０ｂ、２０ｃ、２０ｄの前面は開口しており、操作者は各集積部２０ａ、２０ｂ、２０ｃ、２０ｄの内部にアクセスしてこれらの集積部２０ａ、２０ｂ、２０ｃ、２０ｄに積層状態で集積されている紙幣を筐体１１の外部に取り出すことができるようになっている。
【００２８】
また、図２に示すように、搬送部１６には、当該搬送部１６から紙幣を分岐させるための分岐爪等からなる分岐部材３０ａ、３０ｂ、３０ｃ、３２ａ、３２ｂがそれぞれ設けられている。具体的には、各分岐部材３０ａ、３０ｂ、３０ｃは、それぞれ、表裏反転装置４０から排出された紙幣が搬送部１６により搬送される際に当該紙幣を搬送部１６から分岐させて各集積部２０ａ、２０ｂ、２０ｃに送るようになっている。また、各分岐部材３２ａ、３２ｂは、それぞれ、識別部１８から排出された紙幣が搬送部１６により搬送される際に当該紙幣を搬送部１６から分岐させて各リジェクト部２２ａ、２２ｂに送るようになっている。
【００２９】
また、図２に示すように、筐体１１の内部には、紙幣処理機１０の各構成部材の制御を行う制御部３４が設けられている。ここで、識別部１８による紙幣の識別結果に係る情報は制御部３４に送られるようになっている。また、制御部３４は、紙幣処理機１０の各構成部材（具体的には、繰出機構１４、搬送部１６、表裏反転装置４０、各分岐部材３０ａ、３０ｂ、３０ｃ、３２ａ、３２ｂ、等）に指令信号を送ることによりこれらの各構成部材の制御を行うようになっている。
【００３０】
次に、表裏反転装置４０の構成の詳細について図３乃至図１７を用いて説明する。図３等に示すように、本実施の形態による表裏反転装置４０は、上流側反転部４２および下流側反転部８０を備えている。ここで、上流側反転部４２は、図３において矢印で示すような所定の搬送方向に沿って紙幣を搬送しながら当該紙幣の幅方向における一部分（具体的には、紙幣の幅方向における中央部分）を搬送方向を中心として略９０°変位させるようになっている。また、下流側反転部８０は、紙幣の搬送方向における上流側反転部４２の下流側に設けられ、当該上流側反転部４２から送られた紙幣を所定の搬送方向に沿って搬送しながら上流側反転部４２で略９０°変位させられた当該紙幣の幅方向における一部分を受け取って搬送方向を中心として略９０°変位させることにより紙幣全体の表裏を反転させることができるようになっている。また、上流側反転部４２は、紙幣の幅方向における一部分を変位させる方向を、下流側反転部８０による紙幣の変位方向と同方向または逆方向に選択的に切り換えることができるようになっている。なお、「紙幣の幅方向における一部分を搬送方向を中心として略９０°変位させる」とは、紙幣の幅方向における一部分の向き（位相）を、当該紙幣の搬送方向を中心として略９０°変えるよう、紙幣の幅方向における一部分を搬送方向を中心として略９０°回転させることをいう。また、表裏反転装置４０の上流側反転部４２および下流側反転部８０において、紙幣はその短手方向に沿って搬送されるようになっている。このような表裏反転装置４０の上流側反転部４２および下流側反転部８０の詳細について以下に説明する。
【００３１】
まず、上流側反転部４２の各構成部材について説明する。図３乃至図５等に示すように、上流側反転部４２は、複数の搬送ローラ４６、４８、５０、６８、６９と、各搬送ローラ４６、４８、５０、６８、６９により搬送される紙幣を所定の搬送方向（すなわち、図３乃至図５等において矢印で示す方向）に案内するガイド部材４４、４５、６４、６６、６７と、紙幣の幅方向における一部分（具体的には、紙幣の幅方向における中央部分）を搬送方向を中心として略９０°変位させるための第１分岐爪５２および第２分岐爪５８とを有している。
【００３２】
各搬送ローラ４６、４８、５０、６８、６９は、それぞれ、上下一対のものから構成されており、各ローラの外周面にはゴム等の弾性体が設けられている。そして、一方のローラが他方のローラにより押圧されることによってこれらの上下一対のローラの間にニップ部が形成されるようになっており、上流側反転部４２において各搬送ローラ４６、４８、５０、６８、６９により搬送される紙幣は上下一対のローラの間に形成されるニップ部を通過するようになっている。また、図３に示すように、上下一対の搬送ローラ４６の組合せ体が２組、上流側反転部４２の幅方向（すなわち、図３において矢印で示すような紙幣の搬送方向と直交する方向）に沿って並ぶよう配置されており、上側の２つの搬送ローラ４６および下側の２つの搬送ローラ４６はそれぞれ１本の回転軸に取り付けられている。また、上下一対の搬送ローラ６８の組合せ体が４組、上流側反転部４２の幅方向に沿って並ぶよう配置されており、上側の４つの搬送ローラ６８および下側の４つの搬送ローラ６８はそれぞれ１本の回転軸に取り付けられている。また、上下一対の搬送ローラ６９の組合せ体が４組、上流側反転部４２の幅方向に沿って並ぶよう配置されており、上側の４つの搬送ローラ６９および下側の４つの搬送ローラ６９はそれぞれ１本の回転軸に取り付けられている。また、各搬送ローラ４６、４８、５０、６８、６９において、上下一対のローラのうち一方のローラ（例えば、下側のローラ）は図示しない駆動モータにより駆動させられる駆動ローラとして機能するようになっており、他方のローラ（例えば、上側のローラ）は駆動ローラと連れ回る従動ローラとして機能するようになっている。本実施の形態では、各搬送ローラ４６、４８、５０、６８、６９の回転軸が図示しない歯車等の連動機構により連結され、１つの駆動モータにより各搬送ローラ４６、４８、５０、６８、６９が同期して回転させられるようになっている。
【００３３】
ガイド部材４４、４５は、図３における上下方向に並ぶよう配置される板状のものから構成されており、これらの上下一対のガイド部材４４、４５の間にわずかな大きさの隙間（具体的には、少なくとも１枚の紙幣が通過できるような大きさの隙間）が形成されるようこれらのガイド部材４４、４５は図３の上下方向において互いに離間している。そして、搬送部１６から表裏反転装置４０の上流側反転部４２に送られた紙幣は上下一対のガイド部材４４、４５の間に形成される隙間を通るようになっている。また、上下一対のガイド部材４４、４５には、２組の上下一対の搬送ローラ４６の組合せ体と接触しないようにするための開口および上下一対の搬送ローラ４８と接触しないようにするための切り欠き部がそれぞれ形成されている。これらの上下一対のガイド部材４４、４５は紙幣の搬送方向における第１分岐爪５２や第２分岐爪５８の上流側に設けられている。
【００３４】
一方、上流側反転部４２において、紙幣の搬送方向における第１分岐爪５２や第２分岐爪５８の下流側には、ガイド部材６４、６６、６７がそれぞれ設けられている。ここで、ガイド部材６４、６６は、紙幣の搬送方向に対して左右に並ぶよう配置される板状のものから構成されており、これらの左右一対のガイド部材６４、６６の間にわずかな大きさの隙間（具体的には、少なくとも１枚の紙幣が通過できるような大きさの隙間）が形成されるようこれらのガイド部材６４、６６は左右方向において互いに離間している。また、図３、図４および図１１等に示すように、各ガイド部材６４、６６における隙間に面する箇所には、後述する第１分岐爪５２や第２分岐爪５８により略９０°変位させられた紙幣の幅方向における一部分を案内する一対の垂直ガイド部分７０が形成されている。ここで、一対の垂直ガイド部分７０はそれぞれ図３における上下方向（言い換えると、図４や図１１の紙面に対して直交する方向）に沿って延びるようになっている。また、ガイド部材６４に設けられる垂直ガイド部分７０およびガイド部材６６に設けられる垂直ガイド部分７０は互いに離間しており、これらの垂直ガイド部分７０の間の距離は紙幣の搬送方向において下流側が上流側よりも徐々に小さくなるよう各垂直ガイド部分７０の形状が定められている（図４および図１１参照）。
【００３５】
また、図１１等に示すように、各ガイド部材６４、６６の下方には案内ローラ７２が設けられており、各ガイド部材６４、６６の間の隙間を通過する、紙幣の幅方向における一部分は案内ローラ７２により案内されるようになっている。ここで、案内ローラ７２は紙幣の搬送方向に対して左右に並ぶよう配置される左右一対のものから構成されており、各ローラの外周面にはゴム等の弾性体が設けられている。そして、一方のローラが他方のローラにより押圧されることによってこれらの上下一対のローラの間にニップ部が形成されるようになっており、各ガイド部材６４、６６の間の隙間を通過する、紙幣の幅方向における一部分は左右一対の案内ローラ７２の間に形成されるニップ部を通過するようになっている。
【００３６】
また、これらのガイド部材６４、６６の上方には板状のガイド部材６７が設けられており、左右一対のガイド部材６４、６６の組合せ体と、ガイド部材６７との間にわずかな大きさの隙間（具体的には、少なくとも１枚の紙幣が通過できるような大きさの隙間）が形成されるようガイド部材６７は左右一対のガイド部材６４、６６に対して上方に離間している。また、各ガイド部材６４、６６、６７には、それぞれ、４組の上下一対の搬送ローラ６８の組合せ体および４組の上下一対の搬送ローラ６９の組合せ体と接触しないようにするための開口または切り欠き部が形成されている。
【００３７】
第１分岐爪５２および第２分岐爪５８は、紙幣の搬送方向に対して左右に並ぶよう配置されており、これらの第１分岐爪５２や第２分岐爪５８は他の分岐爪から独立して揺動するようになっている。具体的には、紙幣の搬送方向に沿ってみたときに左側に位置する第１分岐爪５２の基端部分には回転軸５４が取り付けられており、当該回転軸５４は駆動モータ５６により正逆両方向に回転させられるようになっている。そして、駆動モータ５６が回転軸５４を回転させることにより、第１分岐爪５２は、図５や図７に示すようなその先端部分が各ガイド部材４４、４５の間に形成される隙間よりも上方に位置する上方位置と、図９に示すようなその先端部分が各ガイド部材４４、４５の間に形成される隙間よりも下方に位置する下方位置との間で揺動するようになっている。また、紙幣の搬送方向に沿ってみたときに右側に位置する第２分岐爪５８の基端部分には回転軸６０が取り付けられており、当該回転軸６０は駆動モータ６２により正逆両方向に回転させられるようになっている。そして、駆動モータ６２が回転軸６０を回転させることにより、第２分岐爪５８は、図９に示すようなその先端部分が各ガイド部材４４、４５の間に形成される隙間よりも上方に位置する上方位置と、図５や図７に示すようなその先端部分が各ガイド部材４４、４５の間に形成される隙間よりも下方に位置する下方位置との間で揺動するようになっている。
【００３８】
また、本実施の形態では、各駆動モータ５６、６２は制御部３４により制御されるようになっているが、第１分岐爪５２が上方位置に位置するときには第２分岐爪５８が下方位置に位置し、一方、第１分岐爪５２が下方位置に位置するときには第２分岐爪５８が上方位置に位置するよう、各駆動モータ５６、６２により回転軸５４、６０がそれぞれ回転させられるようになっている。このことにより、第１分岐爪５２および第２分岐爪５８は、図７に示すような位置または図９に示すような位置に位置するようになる。そして、図７に示すように第１分岐爪５２が上方位置に位置するとともに第２分岐爪５８が下方位置に位置している場合には、紙幣の幅方向における一部分（具体的には、紙幣の幅方向における中央部分）が、紙幣の搬送方向に沿って上流側から下流側に向かって見たときに当該搬送方向を中心として反時計回りに略９０°変位させられる。一方、図９に示すように第１分岐爪５２が下方位置に位置するとともに第２分岐爪５８が上方位置に位置している場合には、紙幣の幅方向における一部分（具体的には、紙幣の幅方向における中央部分）が、紙幣の搬送方向に沿って上流側から下流側に向かって見たときに当該搬送方向を中心として時計回りに略９０°変位させられる。このように、本実施の形態では、第１分岐爪５２および第２分岐爪５８の位置によって、紙幣の幅方向における一部分が変位させられる向きが異なるようになる。このような紙幣の幅方向における一部分を変位させる動作の詳細については後述する。
【００３９】
次に、下流側反転部８０の各構成部材について説明する。図６や図１４等に示すように、下流側反転部８０は、紙幣を搬送する一対の帯状の循環ベルト８４、８８と、各循環ベルト８４、８８により搬送される紙幣の搬送方向における先端部分を搬送路の幅方向外側へ案内する紙幣先端ガイド部材８２と、各循環ベルト８４、８８により搬送される紙幣を案内するガイド部材９４とを有している。
【００４０】
図１４および図１５に示すように、帯状の平ベルトから構成される循環ベルト８４は複数のプーリ８６に張架されており、その一部分８４ａは紙幣の搬送方向に沿って概ね直線状に延びるようになっている。また、帯状の平ベルトから構成される循環ベルト８８は複数のプーリ９０に張架されており、その一部分８８ａは紙幣の搬送方向に沿って概ね直線状に延びるようになっている。また、循環ベルト８４の一部分８４ａおよび循環ベルト８８の一部分８８ａは互いに接触しており、紙幣の幅方向における一部分（具体的には、紙幣の幅方向における中央部分）はこれらの循環ベルト８４の一部分８４ａと循環ベルト８８の一部分８８ａとの間で搬送されるようになっている。また、下流側反転部８０の上流側端部の近傍には紙幣の搬送方向に対して左右に並ぶよう設けられたローラ９１、９２が設けられている。より詳細には、複数のプーリ８６のうちある一つのプーリ８６がローラ９１として用いられるようになっている。そして、これらのローラ９１、９２の間のニップ部に送られた、紙幣の幅方向における一部分が循環ベルト８４の一部分８４ａと循環ベルト８８の一部分８８ａとの間に受け渡され、これらの循環ベルト８４の一部分８４ａと循環ベルト８８の一部分８８ａとの間で搬送されるようになっている。また、図１４および図１５に示すように、循環ベルト８４の一部分８４ａおよび循環ベルト８８の一部分８８ａは、その入口側の幅方向が垂直方向に延びているのに対し出口側の幅方向が水平方向に延びるよう、入口側の幅方向に対して出口側の幅方向が９０°ねじれている。このため、循環ベルト８４の一部分８４ａと循環ベルト８８の一部分８８ａとの間でその幅方向における一部分（具体的には、紙幣の幅方向における中央部分）が搬送される紙幣は、紙幣の搬送方向に沿って上流側から下流側に向かって見たときに当該搬送方向を中心として反時計回りに略９０°変位させられる。
【００４１】
図６等に示すように、各循環ベルト８４、８８の上方には紙幣先端ガイド部材８２が設けられている。また、紙幣先端ガイド部材８２の下方にはガイド部材９４が設けられており、紙幣先端ガイド部材８２とガイド部材９４との間にわずかな大きさの隙間（具体的には、少なくとも１枚の紙幣が通過できるような大きさの隙間）が形成されるようこれらの紙幣先端ガイド部材８２およびガイド部材９４は上下方向において互いに離間している。このような紙幣先端ガイド部材８２の構成の詳細について図１２および図１３を用いて説明する。図１２および図１３に示すように、紙幣先端ガイド部材８２は、紙幣の搬送方向に沿って見たときの左半分の箇所において当該搬送方向に対して角度をなすような第１傾斜部分８２ａを有している。このような第１傾斜部分８２ａにより、各循環ベルト８４、８８により搬送される紙幣の搬送方向における先端部分が搬送路の幅方向外側に案内されるようになっている。また、紙幣先端ガイド部材８２は、紙幣の搬送方向に沿って見たときの右半分の箇所において水平方向に対して傾斜している第２傾斜部分８２ｂを有している。より詳細には、第２傾斜部分８２ｂは、紙幣の搬送方向に沿って進むに従って徐々に高くなるよう傾斜している。このことにより、各循環ベルト８４、８８により搬送される紙幣の搬送方向における右半分は、第２傾斜部分８２ｂによって徐々に上方に持ち上がるようになる。このような紙幣先端ガイド部材８２により紙幣を案内する動作の詳細については後述する。
【００４２】
また、図３に示すように、上流側反転部４２の各ガイド部材６４、６６、６７や下流側反転部８０の紙幣先端ガイド部材８２の上方には天板部材４１が位置固定で設けられており、この天板部材４１の下方の領域で上流側反転部４２や下流側反転部８０により紙幣が搬送されるようになっている。上述したように、紙幣の幅方向における一部分が循環ベルト８４の一部分８４ａと循環ベルト８８の一部分８８ａとの間で搬送される際に、紙幣の搬送方向に沿って見たときに当該搬送方向を中心として紙幣が反時計回りに略９０°変位させられるが、このときに、天板部材４１によって紙幣の幅方向における端部分が高さ方向において規制（制限）させられるようになる。このことにより、表裏反転装置４０の高さを小さくすることができ、よって紙幣処理機１０の筐体１１の内部における表裏反転装置４０の設置に必要なスペースを十分に確保することができるようになる。本実施の形態では、このような天板部材４１は下流側反転部８０に含まれるようになっており、当該天板部材４１は、一対の循環ベルト８４、８８により搬送される紙幣の幅方向における端部分を高さ方向において制限するよう紙幣を案内する紙幣高さ制限ガイド部分として機能するようになっている。
【００４３】
次に、このような表裏反転装置４０の動作（具体的には、表裏反転装置４０により紙幣の表裏を選択的に反転させる動作）について説明する。なお、以下に示すような動作は制御部３４が表裏反転装置４０の各構成部材（具体的には、各搬送ローラ４６、４８、５０、６８、６９を回転させる図示しない駆動モータ、回転軸５４を正逆両方向に回転させる駆動モータ５６、回転軸６０を正逆両方向に回転させる駆動モータ６２、等）を制御することにより行われるようになっている。
【００４４】
上述したように、本実施の形態では、表裏反転装置４０により紙幣の表裏を選択的に反転させることができるようになっている。例えば、取込部１２により筐体１１の内部に取り込まれ、搬送部１６により搬送される紙幣の上面がおもて面であることが識別部１８による識別結果によって判別した場合には、表裏反転装置４０により紙幣が反転させられることなく当該紙幣は搬送部１６により各集積部２０ａ〜２０ｄに送られるようになる。一方、取込部１２により筐体１１の内部に取り込まれ、搬送部１６により搬送される紙幣の上面が裏面であることが識別部１８による識別結果によって判別した場合には、表裏反転装置４０により紙幣の表裏が反転させられた後、当該紙幣は搬送部１６により各集積部２０ａ〜２０ｄに送られるようになる。このことにより、各集積部２０ａ〜２０ｄに集積される紙幣の表裏を揃えることができるようになる。また、本実施の形態では、表裏反転装置４０の上流側反転部４２に設けられた第１分岐爪５２および第２分岐爪５８の位置によって、当該表裏反転装置４０により紙幣の表裏を反転させるか否かが決められるようになっている。
【００４５】
まず、表裏反転装置４０により紙幣の表裏を反転させる場合について説明する。表裏反転装置４０により紙幣の表裏を反転させる場合には、図１６において参照符合Ｐ１〜Ｐ６で順に示されるような状態で紙幣が上流側反転部４２および下流側反転部８０により搬送されるようになる。ここで、表裏反転装置４０により紙幣の表裏を反転させる場合には、制御部３４が各駆動モータ５６、６２を制御することにより第１分岐爪５２および第２分岐爪５８をそれぞれ図５や図７、図８に示すような位置に位置させる。図５や図７、図８に示すように、第１分岐爪５２が上方位置に位置するとともに第２分岐爪５８が下方位置に位置している場合には、第１分岐爪５２の先端部分が各ガイド部材４４、４５の間に形成される隙間よりも上方に位置するため、各搬送ローラ４８、５０から各搬送ローラ６８、６９に紙幣が受け渡される際に、紙幣の搬送方向における左側の先端部分は第１分岐爪５２の下面５２ｂの下方に入り込むようになる。一方、第２分岐爪５８の先端部分は各ガイド部材４４、４５の間に形成される隙間よりも下方に位置するため、各搬送ローラ４８、５０から各搬送ローラ６８、６９に紙幣が受け渡される際に、紙幣の搬送方向における右側の先端部分は第２分岐爪５８の上面５８ａの上方で搬送されるようになる。ここで、搬送方向における左側の先端部分が第１分岐爪５２の下面５２ｂの下方に入り込むとともに右側の先端部分が第２分岐爪５８の上面５８ａの上方で搬送されるような紙幣を図７、図８および図１６において参照符合Ｐ２で示す。
【００４６】
その後、各搬送ローラ６８、６９により紙幣が搬送される際に、紙幣の搬送方向における左半分は、第１分岐爪５２の下面５２ｂの下方の領域からガイド部材６４の下方の領域に送り込まれる。一方、紙幣の搬送方向における右半分は第２分岐爪５８の上面５８ａの上方の領域からガイド部材６６の上方の領域に送り込まれる。このため、紙幣の搬送方向における右半分のみが右側の２組の各搬送ローラ６８、６９により搬送されるようになり、紙幣の搬送方向における左半分は各搬送ローラ６８、６９により搬送されないようになる。また、紙幣の搬送方向における中央部分は、各ガイド部材６４、６６の間の隙間に送り込まれる。この際に、紙幣の搬送方向における中央部分は一対の垂直ガイド部分７０の間で案内されるようになる。ここで、上述したように、一対の垂直ガイド部分７０の間の距離は紙幣の搬送方向において下流側が上流側よりも徐々に小さくなるようになっているため、一対の垂直ガイド部分７０の間で案内される、紙幣の搬送方向における中央部分は垂直方向に沿って延びるようになる。各搬送ローラ６８、６９により搬送され、この際に搬送方向における中央部分が垂直方向に沿って延びるようになった紙幣を図７、図８および図１６において参照符合Ｐ３で示す。また、一対の垂直ガイド部分７０により垂直方向に沿って延びるようになった紙幣の搬送方向における中央部分は各案内ローラ７２の間で案内されるようになる。このことにより、上流側反転部４２から下流側反転部８０に受け渡される紙幣は、その幅方向における中央部分が、紙幣の搬送方向に沿って上流側から下流側に向かって見たときに当該搬送方向を中心として反時計回りの方向に略９０°変位したものとなる（図８参照）。
【００４７】
上流側反転部４２から下流側反転部８０に受け渡された紙幣は、その右半分が紙幣先端ガイド部材８２の第２傾斜部分８２ｂによって徐々に上方に持ち上げられる。また、上流側反転部４２から下流側反転部８０に受け渡された紙幣の左半分は、ガイド部材６４の下方の領域からガイド部材９４や各循環ベルト８４、８８の下方の領域に送り込まれるようになる。このため、下流側反転部８０の上流側端部の近傍に設けられた左右一対のローラ９１、９２の間に送られた紙幣は、全体的に垂直方向を向くようになる。このような全体的に垂直方向を向いている紙幣を図１６において参照符合Ｐ４で示す。その後、循環ベルト８４の一部分８４ａと循環ベルト８８の一部分８８ａとの間でその幅方向における中央部分が搬送される紙幣は、当該紙幣の搬送方向に沿って上流側から下流側に向かって見たときに当該搬送方向を中心として反時計回りに略９０°変位させられる。また、この際に、紙幣先端ガイド部材８２の第１傾斜部分８２ａにより、各循環ベルト８４、８８により搬送される紙幣の搬送方向における先端部分が搬送路の幅方向外側（具体的には、紙幣の搬送方向に沿って上流側から下流側に向かって見たときの左方向）に案内されるようになる。また、各循環ベルト８４、８８により紙幣が搬送される際に、天板部材４１によって紙幣の幅方向における端部分が高さ方向において規制（制限）させられるようになる。ここで、各循環ベルト８４、８８により略９０°変位させられる途中の状態の紙幣を図１６において参照符合Ｐ５で示す。そして、各循環ベルト８４、８８により略９０°変位させられた紙幣は紙幣先端ガイド部材８２とガイド部材９４との間の隙間を通って下流側反転部８０から排出される。下流側反転部８０から排出される紙幣を図１６において参照符合Ｐ６で示す。
【００４８】
このようにして、制御部３４が各駆動モータ５６、６２を制御することにより第１分岐爪５２および第２分岐爪５８をそれぞれ図５や図７、図８に示すような位置に位置させることによって、上流側反転部４２において、紙幣の幅方向における中央部分が、紙幣の搬送方向に沿って上流側から下流側に向かって見たときに当該搬送方向を中心として反時計回りの方向に略９０°変位させられる。また、下流側反転部８０において、紙幣の幅方向における中央部分が、紙幣の搬送方向に沿って上流側から下流側に向かって見たときに当該搬送方向を中心として反時計回りの方向に更に略９０°変位させられる。このことにより、下流側反転部８０から排出される紙幣は、その表裏が反転させられたものとなる。
【００４９】
次に、表裏反転装置４０により紙幣の表裏を反転させない場合について説明する。表裏反転装置４０により紙幣の表裏を反転させない場合には、図１７において参照符合Ｐ１〜Ｐ６で順に示されるような状態で紙幣が上流側反転部４２および下流側反転部８０により搬送されるようになる。ここで、表裏反転装置４０により紙幣の表裏を反転させない場合には、制御部３４が各駆動モータ５６、６２を制御することにより第１分岐爪５２および第２分岐爪５８をそれぞれ図９や図１０に示すような位置に位置させる。図９や図１０に示すように、第１分岐爪５２が下方位置に位置するとともに第２分岐爪５８が上方位置に位置している場合には、第１分岐爪５２の先端部分が各ガイド部材４４、４５の間に形成される隙間よりも下方に位置するため、各搬送ローラ４８、５０から各搬送ローラ６８、６９に紙幣が受け渡される際に、紙幣の搬送方向における左側の先端部分は第１分岐爪５２の上面５２ａの上方で搬送されるようになる。一方、第２分岐爪５８の先端部分は各ガイド部材４４、４５の間に形成される隙間よりも上方に位置するため、各搬送ローラ４８、５０から各搬送ローラ６８、６９に紙幣が受け渡される際に、紙幣の搬送方向における右側の先端部分は第２分岐爪５８の下面５８ｂの下方に入り込むようになる。ここで、搬送方向における左側の先端部分が第１分岐爪５２の上面５２ａの上方で搬送されるとともに右側の先端部分が第２分岐爪５８の下面５８ｂの下方に入り込むような紙幣を図９、図１０および図１７において参照符合Ｐ２で示す。
【００５０】
その後、各搬送ローラ６８、６９により紙幣が搬送される際に、紙幣の搬送方向における左半分は、第１分岐爪５２の上面５２ａの上方の領域からガイド部材６４の上方の領域に送り込まれる。一方、紙幣の搬送方向における右半分は第２分岐爪５８の下面５８ｂの下方の領域からガイド部材６６の下方の領域に送り込まれる。このため、紙幣の搬送方向における左半分のみが左側の２組の各搬送ローラ６８、６９により搬送されるようになり、紙幣の搬送方向における右半分は各搬送ローラ６８、６９により搬送されないようになる。また、紙幣の搬送方向における中央部分は、各ガイド部材６４、６６の間の隙間に送り込まれる。この際に、紙幣の搬送方向における中央部分は一対の垂直ガイド部分７０の間で案内されるようになる。ここで、上述したように、一対の垂直ガイド部分７０の間の距離は紙幣の搬送方向において下流側が上流側よりも徐々に小さくなるようになっているため、一対の垂直ガイド部分７０の間で案内される、紙幣の搬送方向における中央部分は垂直方向に沿って延びるようになる。各搬送ローラ６８、６９により搬送され、この際に搬送方向における中央部分が垂直方向に沿って延びるようになった紙幣を図９、図１０および図１７において参照符合Ｐ３で示す。また、一対の垂直ガイド部分７０により垂直方向に沿って延びるようになった紙幣の搬送方向における中央部分は各案内ローラ７２の間で案内されるようになる。このことにより、上流側反転部４２から下流側反転部８０に受け渡される紙幣は、その幅方向における中央部分が、紙幣の搬送方向に沿って上流側から下流側に向かって見たときに当該搬送方向を中心として時計回りの方向に略９０°変位したものとなる（図１０参照）。
【００５１】
上流側反転部４２から下流側反転部８０に受け渡された紙幣は、その右半分は紙幣先端ガイド部材８２の下方の領域で搬送されるようになる。また、上流側反転部４２から下流側反転部８０に受け渡された紙幣の左半分は、紙幣先端ガイド部材８２とガイド部材９４との間の隙間を通って搬送されるようになる。また、上流側反転部４２から下流側反転部８０に受け渡された紙幣の幅方向における中央部分（すなわち、上流側反転部４２によって搬送方向を中心として時計回りの方向に略９０°変位した部分）は、下流側反転部８０の上流側端部の近傍に設けられた左右一対のローラ９１、９２の間に送られるようになる。その後、紙幣の幅方向における中央部分は、循環ベルト８４の一部分８４ａと循環ベルト８８の一部分８８ａとの間で搬送される際に、当該紙幣の搬送方向に沿って上流側から下流側に向かって見たときに当該搬送方向を中心として反時計回りに略９０°変位させられる。すなわち、循環ベルト８４の一部分８４ａと循環ベルト８８の一部分８８ａとの間に送られる前の紙幣の幅方向における中央部分は搬送方向を中心として時計回りの方向に略９０°変位していたため、各循環ベルト８４、８８によって紙幣の搬送方向を中心として反時計回りに略９０°変位させられることにより元の水平方向に延びる状態に戻されるようになる。ここで、各循環ベルト８４、８８によってその幅方向における中央部分が元の水平方向に延びる状態に戻される途中の状態の紙幣を図１７において参照符合Ｐ５で示す。そして、各循環ベルト８４、８８によってその幅方向における中央部分が元の水平方向に延びる状態に戻された紙幣は、紙幣先端ガイド部材８２とガイド部材９４との間の隙間を通って下流側反転部８０から排出される。下流側反転部８０から排出される紙幣を図１６において参照符合Ｐ６で示す。
【００５２】
このようにして、制御部３４が各駆動モータ５６、６２を制御することにより第１分岐爪５２および第２分岐爪５８をそれぞれ図９や図１０に示すような位置に位置させることによって、上流側反転部４２において、紙幣の幅方向における中央部分が、紙幣の搬送方向に沿って上流側から下流側に向かって見たときに当該搬送方向を中心として時計回りの方向に略９０°変位させられる。また、下流側反転部８０において、紙幣の幅方向における中央部分が、紙幣の搬送方向に沿って上流側から下流側に向かって見たときに当該搬送方向を中心として反時計回りの方向に略９０°変位させられ、元の水平方向に延びる状態に戻される。このことにより、表裏反転装置４０において紙幣の表裏が反転させられないようになる。
【００５３】
以上のように、本実施の形態の表裏反転装置４０によれば、上流側反転部４２は、紙幣を所定の搬送方向に沿って搬送しながら当該紙幣の幅方向における一部分（具体的には、紙幣の幅方向における中央部分）を搬送方向を中心として略９０°変位させるようになっており、紙幣の搬送方向における上流側反転部４２の下流側に設けられた下流側反転部８０は、上流側反転部４２から送られた紙幣を搬送方向に沿って搬送しながら上流側反転部４２で略９０°変位させられた当該紙幣の幅方向における一部分を受け取って搬送方向を中心として略９０°変位させることにより紙幣全体の表裏を反転させることができるようになっている。このように、紙幣の表裏を反転させるにあたり、上流側反転部４２により紙幣の幅方向における一部分を搬送方向を中心として略９０°変位させ、その後にこの略９０°変位させられた紙幣の幅方向における一部分を下流側反転部８０で受け取って当該下流側反転部８０により搬送方向を中心として略９０°変位させることにより、紙幣全体を一度に１８０°回転させる場合と比較して紙幣が変位する領域の高さを抑えることができ、また、紙幣の表裏を反転させる途中で詰まり等のトラブルが生じた場合にもこのような紙幣の詰まりを容易に解除することができる。
【００５４】
より詳細に説明すると、従来の表裏反転装置では、搬送部１６から送られた紙幣を所定の搬送方向に沿って搬送しながら当該搬送方向を中心として紙幣全体を一度に１８０°回転させることにより紙幣の表裏を反転させていた。しかしながら、このような従来の表裏反転装置では紙幣全体が搬送方向を中心として一度に１８０°回転するため、紙幣の幅方向の長さ分だけ表裏反転装置の内部スペースの高さを確保しなければならず、紙幣処理機１０の内部における表裏反転装置の設置スペースに制約が生じてしまうという問題があった。また、紙幣全体を一度に１８０°回転させる場合には紙幣を回転させる機構の構造が複雑となるため、紙幣を回転させる途中で詰まり等のトラブルが生じた場合には、このような紙幣の詰まりを解除するのに手間がかかりメンテナンス性が悪いという問題があった。これに対し、本実施の形態による表裏反転装置４０では、紙幣の表裏を反転させるにあたり、紙幣の搬送方向を中心として当該紙幣を略９０°ずつ２段階で変位させているため、紙幣全体を一度に１８０°回転させるような従来の表裏反転装置の上記の問題を解消することができるようになる。
【００５５】
また、本実施の形態の表裏反転装置４０においては、上述したように、上流側反転部４２は、紙幣の幅方向における一部分を変位させる方向を、下流側反転部８０による紙幣の変位方向と同方向または逆方向に選択的に切り換えることができるようになっている。具体的には、上流側反転部４２は、搬送路の幅方向において分割され、各々が軸（具体的には、回転軸５４、６０）を中心として揺動する複数の分岐爪（具体的には、第１分岐爪５２および第２分岐爪５８）を有しており、各分岐爪は他の分岐爪から独立して揺動することができるようになっている。そして、各分岐爪の位置に基づいて、紙幣の幅方向における一部分を変位させる方向が、下流側反転部８０による紙幣の変位方向と同方向または逆方向に選択的に切り換えられるようになっている。このように、上流側反転部４２が、紙幣の幅方向における一部分を変位させる方向を、下流側反転部８０による紙幣の変位方向と同方向または逆方向に選択的に切り換えることができるようになっている場合には、１つの表裏反転装置４０により紙幣の表裏の反転を行う場合および紙幣の表裏の反転を行わない場合の両方に対応することができるようになる。より詳細には、従来の表裏反転装置では、紙幣の表裏を必ず反転させるようになっていたため、紙幣処理機１０の内部に従来の表裏反転装置を設置する際に、このような従来の表裏反転装置が設けられた第１搬送部と、表裏反転装置が設けられていない第２搬送部とを並列に配置しなければならなかった。すなわち、集積部２０ａ〜２０ｄに集積される紙幣の表裏を揃えるためには、識別部１８により識別された紙幣のうちその上面がおもて面となっている紙幣を第２搬送部に送り、一方、識別部１８により識別された紙幣のうちその上面が裏面となっている紙幣を第１搬送部に送ることにより、第１搬送部に送られた紙幣のみを表裏反転装置により反転させる必要があった。しかしながら、従来の表裏反転装置が設けられた第１搬送部と、表裏反転装置が設けられていない第２搬送部とを並列に設ける場合には、紙幣処理機１０の内部におけるこれらの２つの搬送部の設置スペースに制約が生じてしまうという問題があった。これに対し、本実施の形態による表裏反転装置４０では、１つの表裏反転装置４０により紙幣の表裏の反転を行う場合および紙幣の表裏の反転を行わない場合の両方に対応することができるため、搬送部１６を２つに分岐させる必要がなくなり、よって紙幣処理機１０の内部における搬送部１６や表裏反転装置４０の設置スペースに余裕を持たせることができるようになる。
【００５６】
また、本実施の形態の表裏反転装置４０においては、上述したように、上流側反転部４２は、略９０°変位させられた紙幣の幅方向における一部分を案内する互いに離間して設けられた一対の垂直ガイド部分７０を含み、各垂直ガイド部分７０の間の距離は搬送方向において下流側が上流側よりも徐々に小さくなるよう各垂直ガイド部分７０が構成されている。この場合には、一対の垂直ガイド部分７０の間で案内される、紙幣の搬送方向における一部分（具体的には、紙幣の幅方向における中央部分）を確実に垂直方向に沿って延びるようにすることができる。
【００５７】
また、本実施の形態の表裏反転装置４０においては、上述したように、上流側反転部４２は、略９０°変位させられた紙幣の幅方向における一部分以外の部分を下流側反転部８０に向かって搬送方向に沿って搬送する上流側搬送部分（具体的には、各搬送ローラ６８、６９）を有している。この場合には、その幅方向における一部分が略９０°変位させられた紙幣を各搬送ローラ６８、６９等の上流側搬送部分によって確実に下流側反転部８０に送ることができるようになる。
【００５８】
また、本実施の形態の表裏反転装置４０においては、上述したように、上流側反転部４２は、紙幣を搬送方向に沿って搬送しながら当該紙幣の幅方向における中央部分を搬送方向を中心として略９０°変位させるようになっている。なお、本実施の形態では、紙幣の幅方向における中央部分を当該紙幣の搬送方向を中心として略９０°変位させるような態様に限定されることはない。他の例として、紙幣の幅方向における中央部分以外の箇所（例えば、紙幣の幅方向における端縁の近傍の箇所）を当該紙幣の搬送方向を中心として略９０°変位させるようになっていてもよい。また、上流側反転部４２は、紙幣の幅方向における一部分が搬送方向を中心として略９０°変位させられた後に当該紙葉類の幅方向における当該一部分よりも右側領域および左側領域のうち一方の領域のみを各搬送ローラ６８、６９（第１ローラ）により搬送し、その後、この紙幣における略９０°変位させられた箇所を案内ローラ７２（第２ローラ）により搬送するような構成となっている。
【００５９】
また、本実施の形態の表裏反転装置４０においては、上述したように、下流側反転部８０は、上流側反転部４２で略９０°変位させられた当該紙幣の幅方向における一部分を受け取って搬送方向を中心として略９０°変位させるよう紙幣を搬送する下流側搬送部分（具体的には、各循環ベルト８４、８８）を有している。なお、紙幣をその搬送方向を中心として略９０°変位させるよう当該紙幣を搬送する下流側搬送部分は、無端状の帯状の平ベルトから構成されるものに限定されることはない。下流側搬送部分として、巻出ロールから巻き出された帯状の平ベルトが巻取ロールにより巻き取られるような構成のものが用いられてもよい。また、後述するように、紙幣をその搬送方向を中心として略９０°変位させるよう当該紙幣を搬送する下流側搬送部分として、複数の搬送ローラから構成されるものが用いられてもよい。
【００６０】
また、本実施の形態の表裏反転装置４０においては、上述したように、下流側反転部８０において、下流側搬送部分としての各循環ベルト８４、８８により搬送される紙幣の搬送方向における先端部分を搬送路の幅方向外側へ案内する紙幣先端ガイド部材８２が位置固定で設けられている。この場合には、紙幣先端ガイド部材８２（具体的には、第１傾斜部分８２ａ）によって紙幣の搬送方向における先端部分を搬送路の幅方向外側へ案内することにより、各循環ベルト８４、８８により略９０°変位させられる紙幣の幅方向における先端部分が上方に延びてしまうことを抑制することができ、よって紙幣の幅方向における先端部分を高さ方向において規制（制限）することができるようになる。
【００６１】
また、本実施の形態の表裏反転装置４０においては、上述したように、下流側反転部８０において、下流側搬送部分としての各循環ベルト８４、８８により搬送される紙幣の幅方向における端部分を高さ方向において制限するよう紙幣を案内する紙幣高さ制限ガイド部分として天板部材４１が位置固定で設けられている。この場合には、天板部材４１によって紙幣の幅方向における端部分が高さ方向において規制（制限）させられるようになり、このため表裏反転装置４０の高さを小さくすることができ、よって紙幣処理機１０の筐体１１の内部における表裏反転装置４０の設置に必要なスペースを十分に確保することができるようになる。
【００６２】
なお、本発明による表裏反転装置は、上述したような態様に限定されることはなく、様々な変更を加えることができる。
【００６３】
例えば、上記の説明では、制御部３４が各駆動モータ５６、６２を制御することにより、第１分岐爪５２が上方位置に位置するときには第２分岐爪５８が下方位置に位置し、第１分岐爪５２が下方位置に位置するときには第２分岐爪５８が上方位置に位置するよう、各駆動モータ５６、６２により回転軸５４、６０がそれぞれ回転させられるような態様について述べたが、第１分岐爪５２および第２分岐爪５８の位置はこのような態様に限定されることはない。他の例として、第１分岐爪５２および第２分岐爪をそれぞれ上方位置に位置させることができるようになっていてもよい。この場合には、各搬送ローラ４６により上下一対のガイド部材４４、４５の間で搬送される紙幣は、全体的に各ガイド部材６４、６６の下方の領域に送られ、この紙幣は下流側反転部８０に受け渡されないようになる。ここで、各ガイド部材６４、６６の下方の領域に別の搬送部（図示せず）を設けた場合には、本実施の形態による表裏反転装置４０は、搬送部１６により搬送される紙幣の表裏を選択的に反転させるだけでなく、搬送部１６により搬送される紙幣を別の搬送部に分岐させる分岐機構としても機能するようになる。
【００６４】
また、本実施の形態による表裏反転装置４０の上流側反転部４２に設けられる、紙幣の幅方向における一部分を変位させる方向を下流側反転部８０による紙幣の変位方向と同方向または逆方向に選択的に切り換える機構は、第１分岐爪５２および第２分岐爪５８を用いた機構に限定されることはない。上流側反転部４２において、紙幣の幅方向における一部分を変位させる方向を下流側反転部８０による紙幣の変位方向と同方向または逆方向に選択的に切り換えるにあたり、第１分岐爪５２および第２分岐爪５８を用いた機構以外のものが用いられるようになっていてもよい。
【００６５】
また、本実施の形態による表裏反転装置４０の下流側反転部８０において、紙幣をその搬送方向を中心として略９０°変位させるよう当該紙幣を搬送する下流側搬送部分として、各循環ベルト８４、８８の代わりに、図１８および図１９に示すような複数の搬送ローラ９６ａ〜９６ｆ、９７ａ〜９７ｆから構成されるものが用いられてもよい。図１８は、変形例に係る表裏反転装置４０の下流側反転部８０に設けられた複数の搬送ローラ９６ａ〜９６ｆ、９７ａ〜９７ｆの構成を示す斜視図であり、図１９は、図１８に示す複数の搬送ローラ９６ａ〜９６ｆ、９７ａ〜９７ｆの上面図である。
【００６６】
図１８および図１９に示すように、下流側反転部８０において、各循環ベルト８４、８８の代わりに、紙幣の搬送方向に沿って並ぶよう、一対の搬送ローラ９６ａ〜９６ｆ、９７ａ〜９７ｆが６組設けられている。これらの各組の搬送ローラ９６ａ〜９６ｆ、９７ａ〜９７ｆにおいて、一方の搬送ローラ９６ａ〜９６ｆが他方の搬送ローラ９７ａ〜９７ｆによりそれぞれ押圧されることによりこれらの各組の一対の搬送ローラ９６ａ〜９６ｆ、９７ａ〜９７ｆの間にそれぞれニップ部が形成されるようになっており、下流側反転部８０において各搬送ローラ９６ａ〜９６ｆ、９７ａ〜９７ｆにより搬送される紙幣は各組の一対の搬送ローラ９６ａ〜９６ｆ、９７ａ〜９７ｆの間に形成されるニップ部を通過するようになっている。また、図１８および図１９に示すように、最も上流側に位置する一対の搬送ローラ９６ａ、９７ａの間のニップ部は垂直方向を向いているのに対し、下流側の搬送ローラに向かうに従ってニップ部が徐々に垂直方向に対して角度を有するようになり、最も下流側の搬送ローラ９６ｆ、９７ｆの間のニップ部は水平方向を向くようになる。このように、各組の一対の搬送ローラ９６ａ〜９６ｆ、９７ａ〜９７ｆの間に形成されるニップ部の向きは、入口側のニップ部の向きに対して出口側のニップ部の向きが９０°ねじれている。このため、各搬送ローラ９６ａ〜９６ｆ、９７ａ〜９７ｆによりその幅方向における一部分（具体的には、紙幣の幅方向における中央部分）が搬送される紙幣は、紙幣の搬送方向に沿って見たときに当該搬送方向を中心として反時計回りに略９０°変位させられる。
【００６７】
また、本発明に係る表裏反転装置として、図２０乃至図２８に示すような構成のものが用いられてもよい。ここで、図２０は、別の変形例に係る表裏反転装置１４０の構成を示す斜視図であり、図２１は、図２０に示す表裏反転装置１４０の上面図である。また、図２２は、図２０等に示す表裏反転装置１４０における、下側ガイド部材１６４、１６６に設けられた隆起部分１６４ａ、１６６ａ（後述）の構成を示す斜視図であり、図２３は、図２０等に示す表裏反転装置１４０における、上側ガイド部材１６７の下面に設けられた折り曲げリブ１６７ａ（後述）の構成を示す斜視断面図である。なお、図２０乃至図２３に示すような変形例に係る表裏反転装置１４０を説明するにあたり、図１乃至図１７に示す表裏反転装置４０と同一の構成部材については同一の参照符合を付してその説明を省略する。また、図２４は、図２０等に示す表裏反転装置１４０において折り曲げリブ１６７ａ（後述）により紙幣が折り曲げられたときの状態を示す正面図であり、図２５は、図２０等に示す表裏反転装置１４０において隆起部分１６６ａ（後述）により紙幣にコシが付けられたときの状態を示す縦断面図である。なお、図２６は、図２０等に示す表裏反転装置１４０において折り曲げリブ１６７ａが設けられていない場合の紙幣の状態を示す正面図であり、図２７は、図２０等に示す表裏反転装置１４０において折り曲げリブ１６７ａが設けられていない場合に隆起部分１６６ａにより紙幣にコシが付けられたときの状態を示す縦断面図である。また、図２８（ａ）〜（ｄ）は、図２０等に示す表裏反転装置１４０により処理される紙幣の様々な状態を示す説明図である。なお、図２８（ａ）〜（ｄ）において紙幣の搬送方向を矢印で示している。
【００６８】
図２０および図２１に示すように、変形例に係る表裏反転装置１４０は、図２０および図２１において矢印で示すような所定の搬送方向に沿って紙幣を搬送しながら当該紙幣の幅方向における一部分（具体的には、紙幣の幅方向における中央部分）を搬送方向を中心として略９０°変位させる上流側反転部１４２と、上流側反転部１４２から送られた紙幣を受け取って搬送方向を中心として略９０°変位させる下流側反転部８０とを備えている。ここで、図１乃至図１７に示す表裏反転装置４０の上流側反転部４２と同様に、上流側反転部１４２は、紙幣の幅方向における一部分を変位させる方向を、下流側反転部８０による紙幣の変位方向と同方向または逆方向に選択的に切り替えることができるようになっている。このような上流側反転部１４２の構成の詳細について以下に説明する。なお、ガイド部材４４、４５、搬送ローラ４６、４８、５０、案内ローラ７２、各分岐爪５２、５８等については図１乃至図１７に示す表裏反転装置４０の上流側反転部４２と同一の構成であるためその説明を省略する。
【００６９】
上流側反転部１４２において、紙幣の搬送方向における各分岐爪５２、５８の下流側には左右一対の下側ガイド部材１６４および下側ガイド部材１６６、ならびに上側ガイド部材１６７がそれぞれ設けられている。ここで、各下側ガイド部材１６４、１６６は、紙幣の搬送方向に対して左右に並ぶよう配置される板状のものから構成されており、これらの左右一対の下側ガイド部材１６４、１６６の間にわずかな大きさの隙間（具体的には、少なくとも１枚の紙幣が通過できるような大きさの隙間）が形成されるようこれらの下側ガイド部材１６４、１６６は左右方向において互いに離間している。また、図２１および図２５等に示すように、各下側ガイド部材１６４、１６６における隙間に面する箇所には、第１分岐爪５２や第２分岐爪５８により略９０°変位させられた紙幣の幅方向における一部分を案内する一対の垂直ガイド部分１７０が形成されている。ここで、一対の垂直ガイド部分１７０はそれぞれ図２５における上下方向（言い換えると、図２１の紙面に対して直交する方向）に沿って延びるようになっている。また、下側ガイド部材１６４に設けられる垂直ガイド部分１７０および下側ガイド部材１６６に設けられる垂直ガイド部分１７０は互いに離間しており、これらの垂直ガイド部分１７０の間の距離は紙幣の搬送方向において下流側が上流側よりも徐々に小さくなるよう各垂直ガイド部分１７０の形状が定められている。
【００７０】
また、図２０等に示すような変形例に係る表裏反転装置１４０では、各下側ガイド部材１６４、１６６の上面に隆起部分１６４ａ、１６６ａが形成されている（図２２参照）。図２２に示すように、各隆起部分１６４ａ、１６６ａは紙幣の搬送方向における上流側から下流側に向かうに従って各下側ガイド部材１６４、１６６の上面から徐々に上方に盛り上がるとともに幅が徐々に大きくなるような形状となっている。このような各隆起部分１６４ａ、１６６ａが各下側ガイド部材１６４、１６６の上面に形成されていることにより、各分岐爪５２、５８によって紙幣の幅方向における中央部分が上流側から見て反時計回りの方向に略９０°変位させられたときに、図２５に示すように紙幣の搬送方向における右側領域が隆起部分１６６ａによって湾曲させられることにより、当該紙幣の右側領域は搬送方向に沿ったコシが付けられるようになる。一方、各分岐爪５２、５８によって紙幣の幅方向における中央部分が上流側から見て時計回りの方向に略９０°変位させられたときには、紙幣の搬送方向における左側領域が隆起部分１６４ａによって湾曲させられることにより、当該紙幣の左側領域は搬送方向に沿ったコシが付けられるようになる。このような技術的事項の詳細については後述する。
【００７１】
また、これらの下側ガイド部材１６４、１６６の上方には板状の上側ガイド部材１６７が設けられており、左右一対の下側ガイド部材１６４、１６６の組合せ体と、上側ガイド部材１６７との間にわずかな大きさの隙間（具体的には、少なくとも１枚の紙幣が通過できるような大きさの隙間）が形成されるよう上側ガイド部材１６７は左右一対の下側ガイド部材１６４、１６６に対して上方に離間している。また、各ガイド部材１６４、１６６、１６７には、それぞれ、４組の上下一対の搬送ローラ１６８の組合せ体および２組の上下一対の搬送ローラ１６９の組合せ体と接触しないようにするための切り欠き部が形成されている。
【００７２】
また、図２０等に示すような変形例に係る表裏反転装置１４０では、上側ガイド部材１６７の下面には、当該紙幣の搬送方向に沿って延びる細長い折り曲げリブ１６７ａが形成されている（図２１および図２３参照）。ここで、図２３に示すように、折り曲げリブ１６７ａは紙幣の搬送方向における上流側から下流側に向かうに従って上側ガイド部材１６７の下面から下方に突出する量が徐々に大くなるような形状となっている。また、図２１に示すように、折り曲げリブ１６７ａは紙幣の搬送方向において各隆起部分１６４ａ、１６６ａよりも上流側に設けられている。このことにより、図２４に示すように、折り曲げリブ１６７ａは、各隆起部分１６４ａ、１６６ａにより搬送方向に沿ってコシが付けられる前の紙幣の幅方向における中央部分を下方に（すなわち、各下側ガイド部材１６４、１６に向かって）折り曲げるようになる。このような技術的事項の詳細については後述する。
【００７３】
図２０等に示すような変形例に係る表裏反転装置１４０では、その幅方向における中央部分に折れ目がついていたり端縁近傍に切れ目が生じていたりするような異常紙幣を選択的に反転させる場合でも、上流側反転部１４２において異常紙幣が更に破損してしまうことを抑制することができる。このような事項について以下に説明する。
【００７４】
図２８（ａ）に示すような異常紙幣Ｐａは、その幅方向における中央部分に折れ目Ｃがついているとともに、紙幣の搬送方向における前端縁および後端縁の中央部分にそれぞれ切れ目Ｄが生じている。このような異常紙幣Ｐａが図２０等に示すような変形例に係る表裏反転装置１４０に送られたときに、各下側ガイド部材１６４、１６６の上面に隆起部分１６４ａ、１６６ａが設けられていない場合には各分岐爪５２、５８により当該異常紙幣Ｐａは折れ目Ｃで直角に折れてしまう。この場合には、上流側反転部１４２から下流側反転部８０に異常紙幣Ｐａが受け渡されて当該異常紙幣Ｐａが下流側反転部８０の各循環ベルト８４、８８により挟持される際に折れ目Ｃの近傍の箇所が重なってしまい、このような折れ目Ｃの近傍の箇所が重なった状態で異常紙幣Ｐａが各循環ベルト８４、８８により搬送されるおそれがある。この場合には、異常紙幣Ｐａが下流側反転部８０から排出されたときに、折れ目Ｃの近傍の箇所が重なるようなクセが付けられたものとなるため、紙幣処理機１０においてこのような紙幣を適切に処理することができなくなる。また、搬送方向における前端縁の中央部分に切れ目Ｄが生じている異常紙幣Ｐａが上流側反転部１４２から下流側反転部８０に受け渡されると、下流側反転部８０において紙幣先端ガイド部材８２に設けられた第２傾斜部分８２ｂ等によって図２８（ａ）における参照符合Ｅ１やＥ２で示す箇所でめくれ上がってしまうおそれがある。この場合には、異常紙幣Ｐａが下流側反転部８０の各循環ベルト８４、８８により挟持される際に折れ目Ｃの近傍の箇所が重なってしまう可能性が高くなってしまう。
【００７５】
これに対し、図２８（ａ）に示すような異常紙幣Ｐａが図２０等に示すような変形例に係る表裏反転装置１４０に送られたときに、各下側ガイド部材１６４、１６６の上面に隆起部分１６４ａ、１６６ａが設けられている場合には、これらの隆起部分１６４ａ、１６６ａによって異常紙幣Ｐａの右側領域または左側領域において搬送方向に沿ったコシが付けられるようになる。より詳細には、各分岐爪５２、５８によって紙幣の幅方向における中央部分が上流側から見て反時計回りの方向に略９０°変位させられたときに、図２５に示すように紙幣の搬送方向における右側領域が隆起部分１６６ａによって湾曲させられることにより、当該紙幣の右側領域は搬送方向に沿ったコシが付けられるようになる。具体的には、異常紙幣Ｐａは隆起部分１６６ａによって図２８（ｂ）において参照符合Ｆ２で示す箇所に沿って湾曲させられるようになる。このことにより、異常紙幣Ｐａが折れ目Ｃで直角に折れてしまうことを抑制することができるようになる。また、搬送方向における前端縁の中央部分に切れ目Ｄが生じている場合でも、異常紙幣Ｐａが図２８（ａ）における参照符合Ｅ２で示す箇所でめくれ上がってしまうことを抑制することができるようになる。このため、異常紙幣Ｐａが下流側反転部８０の各循環ベルト８４、８８により挟持される際に折れ目Ｃの近傍の箇所が重なってしまうことを防止することができるようになる。
【００７６】
同様に、各分岐爪５２、５８によって紙幣の幅方向における中央部分が上流側から見て時計回りの方向に略９０°変位させられたときに、紙幣の搬送方向における左側領域が隆起部分１６４ａによって湾曲させられることにより、当該紙幣の左側領域は搬送方向に沿ったコシが付けられるようになる。具体的には、異常紙幣Ｐａは隆起部分１６４ａによって図２８（ｂ）において参照符合Ｆ１で示す箇所に沿って湾曲させられるようになる。このことにより、異常紙幣Ｐａが折れ目Ｃで直角に折れてしまうことを抑制することができるようになる。また、搬送方向における前端縁の中央部分に切れ目Ｄが生じている場合でも、異常紙幣Ｐａが図２８（ａ）における参照符合Ｅ１で示す箇所でめくれ上がってしまうことを抑制することができるようになる。このため、異常紙幣Ｐａが下流側反転部８０の各循環ベルト８４、８８により挟持される際に折れ目Ｃの近傍の箇所が重なってしまうことを防止することができるようになる。
【００７７】
また、図２８（ｃ）に示すように、その幅方向における中央部分に折れ目Ｃがついているとともに、紙幣の搬送方向における少なくとも前端縁の中央部分に切れ目Ｄが生じている異常紙幣Ｐａが斜行状態で表裏反転装置１４０に送られる場合がある。このような場合に、上側ガイド部材１６７の下面に折り曲げリブ１６７ａが設けられていない場合には異常紙幣Ｐａにおける前端縁の中央部分の切れ目Ｄの近傍の箇所Ｐｂが折れてしまうおそれがある。より詳細に説明すると、各分岐爪５２、５８によって紙幣の幅方向における中央部分が上流側から見て例えば反時計回りの方向に略９０°変位させられたときに、紙幣の搬送方向における前端縁の中央部分に切れ目Ｄが生じていると、図２６に示すように異常紙幣Ｐａにおける図２８（ｃ）において参照符合Ｐｂで示す箇所は湾曲しないで異常紙幣Ｐａの搬送方向における右側領域と面一になる。この場合には、図２７に示すように異常紙幣Ｐａが隆起部分１６６ａによりコシがつけられる際に、当該隆起部分１６６ａと向き合う隆起部分１６４ａによって参照符合Ｐｂで示す箇所は異常紙幣Ｐａの搬送方向における右側領域に対して折れ曲がってしまう。このような状態で上流側反転部１４２から下流側反転部８０に異常紙幣Ｐａが受け渡されて当該異常紙幣Ｐａが下流側反転部８０の各循環ベルト８４、８８により挟持されると、図２８（ｄ）に示すように異常紙幣Ｐａにおける前端縁の中央部分の切れ目Ｄの近傍の箇所Ｐｂが折れてしまい、紙幣処理機１０においてこのような紙幣を適切に処理することができなくなる。
【００７８】
これに対し、図２８（ｃ）に示すように異常紙幣Ｐａが斜行状態で図２０等に示すような変形例に係る表裏反転装置１４０に送られたときに、上側ガイド部材１６７の下面に折り曲げリブ１６７ａが設けられている場合には、図２４に示すように異常紙幣Ｐａにおける参照符号Ｐｂで示す箇所も折り曲げリブ１６７ａにより下方に折り曲げられるようになる。このため、図２５に示すように異常紙幣Ｐａが隆起部分１６６ａによりコシがつけられる際に、参照符合Ｐｂで示す箇所が隆起部分１６４ａによって異常紙幣Ｐａの搬送方向における右側領域に対して折れ曲がってしまうことを抑制することができ、よって異常紙幣Ｐａにおける前端縁の中央部分の切れ目Ｄの近傍の箇所Ｐｂが折れてしまうことを防止することができるようになる。
【００７９】
また、本発明に係る表裏反転装置において、上流側反転部は、図５等に示すような第１分岐爪５２および第２分岐爪５８が設けられたものに限定されることはない。上流側反転部として、搬送方向に沿って搬送される紙幣の幅方向における一部分（例えば、紙幣の幅方向における中央部分）を当該搬送方向を中心として略９０°変位させるよう紙幣を案内するガイド部材（上流側固定ガイド部分）が位置固定で設けられていてもよい。具体的には、変形例に係る上流側反転部では、図１８および図１９に示す各搬送ローラ９６ａ〜９６ｆ、９７ａ〜９７ｆと同様の構成の複数組の一対の搬送ローラが、紙幣の表面を案内するガイド部材（上流側固定ガイド部分）として設けられている。なお、ガイド部材として、複数組の一対の搬送ローラに加えて、紙幣の表面を案内するガイド板が設けられていてもよい。このような変形例に係る上流側反転部でも、ガイド部材としての各搬送ローラによりその幅方向における一部分（具体的には、紙幣の幅方向における中央部分）が搬送される紙幣は、紙幣の搬送方向に沿って見たときにその幅方向における一部分が当該搬送方向を中心として略９０°変位させられる。なお、上流側反転部においてこのようなガイド部材としての各搬送ローラが位置固定で設けられる場合には、上述した第１分岐爪５２および第２分岐爪５８が上流側反転部に設けられる場合と異なり、上流側反転部により紙幣の幅方向における一部分を変位させる方向を、下流側反転部による紙幣の変位方向と同方向または逆方向に選択的に切り換えることができない。しかしながら、この場合でも、紙幣の表裏を反転させるにあたり、紙幣の搬送方向を中心として当該紙幣を略９０°ずつ２段階で変位させているため、紙幣全体を一度に１８０°回転させるような従来の表裏反転装置の上記の問題を解消することができるようになる。
【００８０】
また、本発明に係る表裏反転装置において、下流側反転部は、図６や図１４等に示すような一対の循環ベルト８４、８８および紙幣先端ガイド部材８２が設けられたものに限定されることはない。下流側反転部として、上流側反転部で略９０°変位させられた紙幣の幅方向における一部分を受け取って搬送方向を中心として略９０°変位させるよう紙幣を案内するガイド部材（下流側固定ガイド部分）が位置固定で設けられていてもよい。具体的には、変形例に係る下流側反転部では、図１８および図１９に示す各搬送ローラ９６ａ〜９６ｆ、９７ａ〜９７ｆと同様の構成の複数組の一対の搬送ローラが、紙幣の表面を案内するガイド部材（下流側固定ガイド部分）として設けられている。なお、ガイド部材として、複数組の一対の搬送ローラに加えて、紙幣の表面を案内するガイド板が設けられていてもよい。このような変形例に係る下流側反転部でも、ガイド部材としての各搬送ローラによりその幅方向における一部分（具体的には、紙幣の幅方向における中央部分）が搬送される紙幣は、紙幣の搬送方向に沿って見たときにその幅方向における一部分が当該搬送方向を中心として略９０°変位させられる。なお、下流側反転部においてこのようなガイド部材としての各搬送ローラが位置固定で設けられる場合にも、上述した一対の循環ベルト８４、８８および紙幣先端ガイド部材８２が下流側反転部に設けられる場合と同様に、紙幣の表裏を反転させるにあたり、上流側反転部により紙幣の幅方向における一部分を搬送方向を中心として略９０°変位させ、その後にこの略９０°変位させられた紙幣の幅方向における一部分を下流側反転部で受け取って当該下流側反転部のガイド部材（下流側固定ガイド部分）により搬送方向を中心として略９０°変位させることにより、紙幣の搬送方向を中心として当該紙幣を略９０°ずつ２段階で変位させているため、紙幣全体を一度に１８０°回転させるような従来の表裏反転装置の上記の問題を解消することができるようになる。
【００８１】
また、図１に示す紙幣処理機１０では、鉛直方向に延びる搬送部１６に、本発明に係る表裏反転装置が設けられるような態様が示されているが、このような態様に限定されることはない。他の例として、鉛直方向に対して傾斜している搬送部や、水平方向に延びる搬送部に、本発明に係る表裏反転装置が設けられるようになっていてもよい。
【００８２】
また、本発明に係る表裏反転装置は、紙幣の表裏を反転させるものに限定されることはない。本発明に係る表裏反転装置として、紙幣以外の紙葉類（例えば、小切手や商品券等）の表裏を反転させるものが用いられてもよい。また、本発明に係る紙葉類処理機は、紙幣の処理を行う紙幣処理機に限定されることはない。本発明に係る紙葉類処理機として、紙幣以外の紙葉類の処理を行うとともに、この紙葉類の表裏を反転させる表裏反転装置が設けられたものが用いられてもよい。
【図１】
0006770575.tif 000002
【図２】
0006770575.tif 000003
【図３】
0006770575.tif 000004
【図４】
0006770575.tif 000005
【図５】
0006770575.tif 000006
【図６】
0006770575.tif 000007
【図７】
0006770575.tif 000008
【図８】
0006770575.tif 000009
【図９】
0006770575.tif 000010
【図１０】
0006770575.tif 000011
【図１１】
0006770575.tif 000012
【図１２】
0006770575.tif 000013
【図１３】
0006770575.tif 000014
【図１４】
0006770575.tif 000015
【図１５】
0006770575.tif 000016
【図１６】
0006770575.tif 000017
【図１７】
0006770575.tif 000018
【図１８】
0006770575.tif 000019
【図１９】
0006770575.tif 000020
【図２０】
0006770575.tif 000021
【図２１】
0006770575.tif 000022
【図２２】
0006770575.tif 000023
【図２３】
0006770575.tif 000024
【図２４】
0006770575.tif 000025
【図２５】
0006770575.tif 000026
【図２６】
0006770575.tif 000027
【図２７】
0006770575.tif 000028
【図２８】
0006770575.tif 000029